(57)【特許請求の範囲】
【請求項１】
４つの磁極と、上・下・左・右ヨークを含み、磁極が対をなして上・下ヨークに固定され、相対する磁極と隣り合う磁極の極性が反対して、磁極の４つからなる磁界が電子ビームを縦向きで引き伸ばし、横向きで圧縮して電子ビームを近似する楕円形に拡散させるグループ１の永久磁石、及び８つの磁極と、上・下・左・右ヨークを含み、磁極が対をなして上・下・左・右ヨークに固定され、相対する磁極と隣り合う磁極の極性が反対して、磁極の８つからなる磁界が拡散した電子バンチの縁に対する修整を行って近似する長方形を形成させるようにするグループ２の永久磁石を含む電子ビーム拡散断面用修整装置であって、
前記修整装置は縦向き位置調整の接続機構の４つを更に含み、グループ1の永久磁石の上・下ヨークの両端が各々縦向き位置調整の接続機構により左・右ヨークに取り付けられ、グループ2の永久磁石の上・下ヨークの両端が各々縦向き位置調整の接続機構により左・右ヨークに取り付けられ、
前記修整装置は、一方側のヨークの隣り合う磁極の間に設けられ、２つの磁極が吸引し合って角度が偏移することを防止する支持ブロックも含み、
前記修整装置は４つのスライド・ロッドと、ロック機構を更に含み、
前記スライド・ロッドは、前記グループ１の永久磁石の４つのヨークにより形成される４個の角を、前記グループ２の永久磁石の４つのヨークにより形成される４個の角に対応して連結するように作動し、前記グループ１の永久磁石は前記スライド・ロッドに固定されるとともに、前記グループ２の永久磁石は前記スライド・ロッドに沿って移動可能とされることにより、グループ１の永久磁石とグループ２の永久磁石の間の距離が調整され、
前記ロック機構は、グループ１の永久磁石とグループ２の永久磁石の間の距離を固定するように作動し、
縦向き位置調整の接続機構の４つを操作してグループ１の永久磁石の上・下ヨークがその中央部へ同期的に移動するようにして、近似する楕円形の電子ビームに対する初めの縦向きの圧縮を行い、更にグループ2の永久磁石の上・下ヨークがその中央部へ同期的に移動するようにして、再び長方形に近似する電子ビームに対する縦向きの圧縮を行い、電子バンチが縦向きで80mm程度に圧縮されるまで繰り返して縦向きの圧縮を行う
ことを特徴とする電子ビーム拡散断面用修整装置。
【請求項２】
前記の縦向き位置調整の接続機構の達成方式として、左・右ヨークに上・下ヨークの端部をねじにより設置するための上・下細長いスルーホールがあり、スルーホールの壁にノギスにより上・下ヨークの位置を確定するための目盛りがあることを特徴とする請求項１に記載の電子ビーム拡散断面用修整装置。
【請求項３】
前記のヨークの表面に磁極端面の寸法と締まりばめを行う取付け溝があり、磁極の設置に用いられ、ヨークに対する磁極の吸引力によりそれを大体に固定し、アルミ合金ホルダーにより更にそれを締め付けることを特徴とする請求項１、または２に記載の電子ビーム拡散断面用修整装置。
【請求項４】
取付け溝と磁極との間に設置されたガスケットも含むことを特徴とする請求項３に記載の電子ビーム拡散断面用修整装置。
【請求項５】
請求項１乃至４のいずれか一項に記載の電子ビーム拡散断面用修整装置を使用する電子ビーム拡散断面の修整方法であって、グループ１の永久磁石の上・下ヨークの間の中央部へ同期的に移動させるようにグループ１の永久磁石の上・下ヨークを駆動し、近似する楕円形の電子ビームに対する初めの縦向きの圧縮を行い、グループ２の永久磁石の上・下ヨークの間の中央部へ同期的に移動させるようにグループ２の永久磁石の上・下ヨークを駆動し、長方形に近似する電子ビームに対して再び縦向きの圧縮を行い、電子バンチの縦向きの寸法が80mm程度に圧縮されるまで縦向き圧縮を繰り返し行うことを特徴とする電子ビーム拡散断面の修整方法。
【発明の詳細な説明】
【技術分野】
【０００１】
本発明は電子ビームによる輻射加工の技術分野、具体的に電子ビーム拡散断面用修整装置及び修整方法に関する。
【背景技術】
【０００２】
原子輻射と物質との相互作用を利用して、輻射される物質にイオン化または励起が発生し、軌道電子が放出され、自由基が形成し、物理的性能または化学構成が変わり、希望する新しい物質となり、または生物体（微生物など）が恢復できない損失または破坏を受けるようにして、滅菌の目的に達成する。輻射に基づき製品を処理し、製品の性能を改善するのは輻射加工と呼ばれる。輻射加工は従来の機械加工または熱加工とは違い、高エネルギー電子またはγ線にとても強い透過力があり、深く物質の内部に入って分子で加工できるので、実際にナノ加工技術である。加工者は分子の熱運動の代わりに高エネルギー線及びそれによる高度な活性の中央部物であり、熱的効果がほとんどないので、エネルギー消費量が少なく、残留物がなく、環境汚染が少なく、工業、農業、医学、生物及び環境保全で日増しに多く利用されている。
【０００３】
現在、輻射加工用輻射源はコバルトのような放射性同位元素及び電子加速器のような荷電粒子加速器を含む。電子加速器は長所がエネルギーが制御でき、電子ビームが基本的に輻射される製品に働き、利用効率が高く、放射性廃棄物処理の課題がなく、停止する場合に電力の消費がなく、生産中に少量のオゾンの外に環境汚染がほとんどない。よって、電子加速器は輻射加工で日増しに多く利用されている。
【０００４】
電子照射加速器で加速されてから電子ビームはスポットの直径が1cm程度であり、ストリームパワーが10〜50ｋWにあり、100ｋW以上になることもある。電子ビームエネルギーはそんな大きくない面積の範囲に集中するので、直接に輻射加工製品に用いられることができなく、集中的エネルギーが製品の損傷または線量の不均一につながる。よって、電子ビームが加速器から離れてから物体に輻射するまで電子ビーム拡散装置を設置しなければいけない。現在、走査電磁石が多く利用されていて、磁石がのこぎりパワーで給電され、テレビのラインスキャンのように電子ビームを横向きで広げ、ビーム下の装置が縦向きで均一の速度で電子ビームを通すように輻射される物体を駆動して、テレビのフレームスキャンに該当し、できる限り輻射される物体が均一的線量を受けるようにして、大体に上記の課題を解決した。図1(a)は0.5MeVエネルギー、電流の強さ50mAの加速器走査電磁石の構成図、図1(b)はスキャン原理図である。
【０００５】
但し、電子ビームスキャンは電力を消費する上、大寸法の異形部材製品が均一の照射を受けるようにするのも難しい。なお、スキャンによるフライバックが避けられないものであり、伝動速度とスキャン周波数の不適切な配合を加え、照射される物体が不均一な線量を受けることにつながる。
【０００６】
申請者が申請した中国特許「輻射加工用電子ビーム拡散装置」（公開番号ZL 201010532758.1）は理論的に電子ビームスキャン方式に関する課題を解決する技術案を提出し、電力駆動を利用しなく、電子ビームを均一的に拡散させて輻射される製品に照射させるものであり、具体的にグループ1の永久磁石により電子ビームを均一的に拡散させ、グループ2の永久磁石により拡散した電子ビームの周りに対する修整を行うが、実際に当該案を利用する場合に次の課題を解決しなければいけない。
【０００７】
（1）前記の特許による電子バンチが均一的に1000mm（長さ）×400mm（幅）の範囲に分布しているが、実際な利用で、すべての電子ビームについてスキャン方式を利用し、スキャン後の電子ビームの縦向きの寸法が10mm程度にあるのが普通であり、電子ビームを広くし、照射の品質向上のために、縦向きのスキャンを加えたが、30mm程度に止まったものである。よって、現在、使用するチタン窓の縦向きの寸法が100mm以内にあるのが普通であるが、前記の特許「輻射加工用電子ビーム拡散装置」に関するスキャンボックスの縦向きの幅が400mm以上であるので、この案を利用すると、ビーム下の装置に対する大きな改造が必要であるので、従来の輻射加工における利用を妨害するものとなる。
【０００８】
（2）製品の損傷または不均一な線量の原因となるエネルギーの集中を避けるために、均一的に分布する電子バンチが必要である。前記の特許に関する電子バンチが磁極からなる磁界の横向きのデフォーカシング及び縦向きのフォーカシングにより拡散するので、磁界の均一性を保証しなければ電子バンチの均一性を保証できないが、磁界の均一性を保証するための方法について前記の特許に記載しなかった。
【先行技術文献】
【特許文献】
【０００９】
【特許文献１】中国公開公報ZL 201010532758.1号公報
【発明の概要】
【発明が解決しようとする課題】
【００１０】
従来の輻射加工用電子ビーム拡散装置の欠陥を克服するために、本発明は電子ビーム拡散断面用修整装置を提供し、目的が拡散した電子バンチの縦向きの寸法を適切に圧縮して、その縦向きの寸法が80mm程度になるようにして、照射の均一度及び最適な照射効率を保証する上、従来のチタン窓の制限範囲に保つことである。
【課題を解決するための手段】
【００１１】
本発明は、2つごとに上・下ヨークに固定され、相対する磁極と隣り合う磁極の極性が反対して、磁極の4つからなる磁界が電子ビームを縦向きで引き伸ばし、横向きで圧縮して電子ビームを近似する楕円形に拡散させる磁極の4つを含むグループ1の永久磁石及び2つごとに上・下ヨークに固定され、相対する磁極と隣り合う磁極の極性が反対して、磁極の8つからなる磁界が拡散した電子バンチの縁に対する修整を行って近似する長方形を形成させるようにする磁極の8つを含むグループ2の永久磁石を含み、縦向き位置調整の接続機構の4つも含み、グループ1の永久磁石の上・下ヨークの両端が各々縦向き位置調整の接続機構により左・右ヨークに取り付けられ、グループ2の永久磁石の上・下ヨークの両端が各々縦向き位置調整の接続機構により左・右ヨークに取り付けられ、縦向き位置調整の接続機構の4つを操作してグループ1の永久磁石の上・下ヨークがその中央部へ同期的に移動するようにして、近似する楕円形の電子ビームに対する初めの縦向きの圧縮を行い、更にグループ2の永久磁石の上・下ヨークがその中央部へ同期的に移動するようにして、再び長方形に近似する電子ビームに対する縦向きの圧縮を行い、電子バンチ縦向きの寸法が80mm程度になるまで初めの縦向きの圧縮を繰り返すことを特徴とする電子ビーム拡散断面用修整装置である。
【００１２】
更に、隣り合う磁極の2つが反対の極性により吸引し合って磁極の角度が中央部に偏移することを防止するために同じ側のヨークが隣り合う磁極の間に設置された支持ブロックも含む。
【００１３】
更に、グループ1の永久磁石のヨークの4つを接続して形成した角の4箇所とグループ2の永久磁石のヨークの4つを接続して形成した角の4箇所を個別に対応して接続し、スライド・ロッドに対して固定する永久磁石の1グループ及びスライド・ロッドに沿って上下に移動でき、それによりグループ1の永久磁石とグループ2の永久磁石とのピッチを調整する永久磁石他のグループを含むスライド・ロッドの4本並びにグループ1の永久磁石とグループ2の永久磁石との間のピッチを固定するためのツインナット・スクリューガイドのロック機構も含む。
【００１４】
更に、前記のヨークの表面に磁極端面の寸法と締まりばめを行う取付け溝があり、磁極の設置に用いられ、ヨークに対する磁極の吸引力によりそれを大体に固定し、アルミ合金ホルダーにより更にそれを締め付ける。
【００１５】
更に、取付け溝と磁極との間に設置されたガスケットも含む。
【００１６】
更に、前記の縦向き位置調整の接続機構の達成方式として、左・右ヨークに上・下ヨークの端部を設置するための上・下細長いスルーホールがあり、スルーホールの壁にノギスにより上・下ヨークの位置を確定するための目盛りがある。
【００１７】
本発明は電子ビーム拡散断面の修整方法も提供し、拡散した電子バンチの縦向きの寸法を適切に圧縮して、その縦向きの寸法が80mm程度になるようにして、照射の均一度及び最適な照射効率を保証する上、従来のチタン窓の制限範囲に保つことを目的にする。
【００１８】
前記の電子ビーム拡散装置2つごとに上・下ヨークに固定され、相対する磁極と隣り合う磁極の極性が反対して、磁極の4つからなる磁界が電子ビームを縦向きで引き伸ばし、横向きで圧縮して電子ビームを近似する楕円形に拡散させる磁極の4つを含むグループ1の永久磁石及び2つごとに上・下ヨークに固定され、相対する磁極と隣り合う磁極の極性が反対して、磁極の8つからなる磁界が拡散した電子バンチの縁に対する修整を行って近似する長方形を形成させるようにする磁極の8つを含むグループ2の永久磁石を含み、具体的に、その間の中央部へ同期的に移動させるようにグループ1の永久磁石の上・下ヨークを駆動し、近似する楕円形の電子ビームに対する初めの縦向きの圧縮を行い、その間の中央部へ同期的に移動させるようにグループ2の永久磁石の上・下ヨークを駆動し、長方形に近似する電子ビームに対して再び縦向きの圧縮を行い、電子バンチの縦向きの寸法が80mm程度に圧縮されるまで初めの縦向き圧縮を繰り返し、再び縦向きの圧縮を行うことを特徴とする電子ビーム拡散装置に基づく電子ビーム拡散断面の修整方法。
【発明の効果】
【００１９】
本発明は永久磁石の2グループにより電子ビームを均一的に拡散させ、修整し、縦向きの圧縮を行って、電子ビームの縦向きの寸法が80mm程度になるようにし、照射の均一度及び最適な照射効率を保証する上、それを従来のチタン窓の限定範囲に保ち、従来の照射加速器ビーム下の装置の構成を変更しないで、直接に従来の電子ビームスキャン機器を替え、電子ビーム加工装置のアップグレードとなり、電力の消費がなく、構成が簡単であり、コストが安く、取り付けが便利であり、実用的なものである。
【００２０】
本発明によるパッシブの電子ビーム拡散機器で従来の電子ビームスキャン装置を替えると、完全にスキャン電源を消費しなく、省エネにつながる上、電源機器の故障による付属コスト及び低い運行効率がない同時に、チタン膜の損傷の確率を少なくし、根本的に電子ビームフライバックを除き、電子ビーム加工製品の品質を保証できる。
【図面の簡単な説明】
【００２１】
【図１】走査電磁石の構成図。
【図１（ａ）】走査電磁石の構成図。
【図１（ｂ）】走査電磁石の原理図。
【図２】本発明に関する全体構成図。
【図２（ａ）】正面図。
【図２（ｂ）】側面図。
【図３】本発明に関する個別構成図。
【図３（ａ）】グループ1の永久磁石の正面図。
【図３（ｂ）】グループ1の永久磁石の側面図。
【図３（ｃ）】グループ2の永久磁石の正面図。
【図３（ｄ）】グループ2の永久磁石の側面図。
【図４】本発明に関する磁極ヨーク取付構成図。
【図５】本発明に関する縦向き位置調整の接続構成図。
【図６】本発明に関する2グループの磁石のピッチ調整図。
【図７】本発明に関する加速器の実装構成図。
【図７（ａ）】正面図。
【図７（ｂ）】側面図。
【図８】本発明が0.5MeV加速器に利用された場合に、電子が永久磁石により拡散してから輻射物体での分布することに関する説明図。
【図９】本発明が0.3MeV加速器に利用された場合に、電子が永久磁石により拡散してから輻射物体での分布することに関する説明図。
【発明を実施するための形態】
【００２２】
次に、図及び実例と結び合わせて本発明について詳細に説明する。但し、実例は本発明について説明するものだけであり、本発明を限定するものではない。なお、下記の実例に関する技術的特徴は対立しない限り結び合うことができる。
【００２３】
本発明は従来の輻射加工用電子ビーム拡散装置を改善して本発明の技術的目的に達成するものである。従来の輻射加工用電子ビーム拡散装置が永久磁石の2グループを含む。その中、グループ1の永久磁石Iが2つごとに上・下ヨーク12、14に固定され、相対する磁極及び隣り合う磁極の極性が反対であり、電子ビームを縦向きで引き伸ばし、横向きで圧縮し、電子ビームを近似する楕円形に拡散させる磁極15、16、17、18を含み、グループ2の永久磁石IIが2つごとに上・下ヨークに固定され、相対する磁極及び隣り合う磁極の極性が反対であり、磁極からなる磁界が拡散した電子バンチの縁に対する修整を行い、近似的長方形を形成する磁極25〜32を含む。
【００２４】
前記の従来の電子ビーム拡散装置による電子バンチに対応するスキャンボックスの縦向きの幅が400mm以上であり、現在使用しているチタン窓の100mm以内の縦向きの寸法に適しないので、電子バンチの縦向きの寸法に対する圧縮が必要である。一方、現在使用している走査電磁石がスキャン電源に限られ、縦向きで35mm以上にスキャンすると、スキャンの均一度に大きな影響を与えるので、具体的に利用する場合にできる限り最終的照射幅を広くしなければいけない。総合的に従来のスキャンボックス寸法及びチタン膜の構成について検討してロックし、電子バンチの縦向きの寸法を80mmまでに圧縮すると、最大化でチタン窓の面積を利用でき、それに従来の加速器を改善しなくてもよく、照射の均一度及び最適な照射効率を保証できる。
【００２５】
電子バンチの縦向きの寸法に対する圧縮を行うために、本発明はグループ1の永久磁石により電子ビームを均一的に拡散させ、電子バンチに対する初めの縦向き圧縮を行い、グループ2の永久磁石により拡散した電子ビームの周りに対する修整を行い、更に2回目に縦向きで電子バンチを80mm程度に圧縮する（図2〜3参照）。具体的な実施方式が次の通りである。
【００２６】
グループ1の永久磁石Iの上・下ヨーク12、14の両端が各々縦向き位置調整の接続機構により左・右ヨーク11、13に取り付けられ、上・下及び左・右ヨーク11〜14が長方形を構成する。グループ1の永久磁石により電子ビームを均一的に拡散させてからこの接続機構を操作して、上・下ヨークが同じ歩数で長方形の中央部に近付けるようにして、上・下磁極の間の間距を近くし、縦向きで磁界の大きさを小さくし、電子バンチに対する初めの縦向きの圧縮を行う。
【００２７】
グループ2の永久磁石IIの上・下ヨーク22、24は両端が各々縦向き位置調整の接続機構により左・右ヨーク21、23に取り付けられ、上・下及び左・右ヨーク21〜24が長方形を構成する。グループ2の永久磁石による磁界により楕円形の縁に対する修整を行って近似的長方形を形成してからこの接続機構を操作し、上・下ヨークが同じ歩数で長方形の中央部に近付けるようにして、上・下磁極の間の間距を近くし、電子バンチに対する2回目の縦向きの圧縮を行う。
【００２８】
本発明で、電子バンチが縦向きで80mm程度に圧縮されるまでグループ1の永久磁石をグループ2の永久磁石と配合させ、繰り返して調節する。本発明でグループ1の永久磁石を主にし、グループ2の永久磁石を補助的にし、配合させて縦向きで圧縮を完成させるのは電子バンチがグループ1の永久磁石を通す場合に縦向きで圧縮されるからである。凸レンズの原理と類似し、電子バンチはグループ2の永久磁石までに拡散した場合、運動方向及び速度によりグループ2の永久磁石からの影響が小さい。
【００２９】
電子バンチが常に圧縮装置の中央部にあり、最終に拡散した電子バンチが均一的に拡散するように、上・下ヨークは長方形の中央部に近付ける場合に同じ歩数で移動しなければいけない。
【００３０】
本発明による装置は磁極が図4のように取り付けられたり、調節されたりする。磁極加工、着磁、ヨーク加工のプロセス及び取付の誤差があり、同側の2つの磁極の中央部に近い端面が同一の水平面にないので、永久磁石による磁界がその中央部に不均一的に分布するので、電子バンチが不均一的に拡散し、最終に、拡散断面は設計に満たすことができない。本発明で、ヨークで磁極端面の寸法との締まりばめのための取付け溝を加工し、磁極を取付け溝に設置し、ヨークに対する磁極の吸引力によりそれを大体に固定し、アルミ合金ホルダー35により更にそれを締め付け、締め付けねじ37によりアルミ合金ホルダー35をヨークに締め付ける。
【００３１】
本発明で、同一のヨーク側の隣り合う磁極の間に設置された鉄製支持ブロック36は隣り合う磁極の2つが反対の極性により吸引し合って磁極が中央部へ偏移する角度の課題を解決し、磁界が一致してセンターリングする技術的効果を保証する。磁石の間の磁力がとても強いので、磁極外部のアルミ合金ホルダーの中央部に鉄製支持ブロック36を設置して磁極が吸引力により角度を偏向しないようにする。
【００３２】
垂直ヨークの方向での磁石の位置を調節できるように、長方形の溝内に材質がヨークと同じであり、1mm、2mm、5mmなどの厚さの軟鉄製ガスケット38を設置する。磁石でもヨークでも吸引力がとても強いので、便利に磁石を取り出すことができるように、長方形の溝の底部にねじスルーホールを加工する。
【００３３】
図5に示す永久磁石の2グループの縦向きでの位置調整の接続機構の達成方式として、上・下ヨークを調節ヨーク、左・右ヨークを固定ヨークにする。固定ヨークで調節ヨークの両側を設置できる細長いスルーホールを加工し、ねじによりヨークの2つの相対的位置を固定でき、調節の場合にねじを緩めて調節ヨークを所定の位置に移動する。ノギスにより相対位置を決める調節方式は精度が0.1mmに達することができ、両側の調節範囲が30mmである。
【００３４】
図6の通りに、本発明で、グループ1の磁石の角の4箇所がグループ2の磁石の角の4箇所とスライド・ロッド39により各々対応してして連結し合う。具体的に、ホルダー41がグループ2の磁石に締め付けられ、スライド・ロッド39によりグループ1の磁石と接続し、軸受40がグループ1の磁石が移動してからその位置を決める。
【００３５】
使用する場合、8極の鉄製テーブルが固定されていて、4極の鉄製テーブルがリニアスライド・ロッド39の4本によりそれと平行する移動を行い、スライド・ロッド39の4本がホルダー41の4つにより8極鉄に締め付けられ、グループ2の永久磁石の4角に軸受40の4つが締め付けられ、軸受がスライド・ロッドに締め付けられ、上下で自由に移動でき、8極の鉄製テーブルの両側にねじ棒42の2本があり、グループ1の永久磁石をグループ2の永久磁石と接続し、ねじ棒がツインナットのロック機構43により締め付けられ、磁石の2グループの間の距離をロックする。この調節方式は精度が0.1mm、調節範囲が50mmでありので、調節精度が非常によく、電子バンチが均一的に拡散するという技術的効果に達成できる。
【００３６】
図7は本発明で愛邦社製照射加速器での取付構成図である。本発明で、直接に加速器のスキャン室に設置して走査電磁石を交換し、縦向きで圧縮装置の下でスタンド44により位置決めを行う。スタンド下部をスキャンボックス45のねじとしっかり接続し、同様に上表面を磁石としっかり接続し、磁石の中央部がスキャンボックスの中央部と重なり合うようにして、調節精度でも安定性でもいい。
【００３７】
本発明を0.3MeV、0.5MeVの照射加速器で利用する効果を例にして具体的に本発明の効果について説明する。本発明による機器を通す場合、0.5MeV加速器電子バンチは直径が15mmであり、電子ビームが従来の走査電磁石を通してから、横向き及び縦向きのスキャンを含み、チタン膜にある電子バンチのスキャン後の寸法が650mm（長さ）×35mm（幅）であるが、この電子ビームがパッシブの断面縦向き圧縮機能のある電子ビーム拡散装置を通してから、電子ビームの拡散がチタン窓における寸法が780mm（長さ）×80mm（幅）に達することができ、元のスキャン方式と比べてみると、照射の幅及び長さが大いに向上した。
【００３８】
図8及び図9は各々本発明が0.5MeV、0.3MeVの加速器に利用された場合に電子が永久磁石を通して拡散してから輻射物体で分布することに関する説明図である。それによると、微小調整により、本発明は見事に異なるエネルギーの加速器に適し、電子バンチを800mm（長さ）×80mm（幅）の範囲に拡散させることができる。
【００３９】
前記の実例は本発明を説明するためのものだけであり、本発明を制限するものではなく、本発明の基本的な原理の範囲で行うすべての改定、同等の交換及び改善などが本発明の範囲にある。
【符号の説明】
【００４０】
I…グループ1の永久磁石
12、14…上・下ヨーク
15、16、17、18…磁極
25〜32…磁極
II…グループ2の永久磁石
11、13…左・右ヨーク
22、24…上・下ヨーク
21、23…左・右ヨーク
35…アルミ合金ホルダー
37…締め付けねじ
36…鉄製支持ブロック
39…スライド・ロッド
41…ホルダー
40…軸受
42…ねじ棒
43…ロック機構
44…スタンド
45…スキャンボックス
【図１（ａ）】
0006045756.tif 000002
【図１（ｂ）】
0006045756.tif 000003
【図２（ａ）】
0006045756.tif 000004
【図２（ｂ）】
0006045756.tif 000005
【図３（ａ）】
0006045756.tif 000006
【図３（ｂ）】
0006045756.tif 000007
【図３（ｃ）】
0006045756.tif 000008
【図３（ｄ）】
0006045756.tif 000009
【図４】
0006045756.tif 000010
【図５】
0006045756.tif 000011
【図６】
0006045756.tif 000012
【図７（ａ）】
0006045756.tif 000013
【図７（ｂ）】
0006045756.tif 000014
【図８】
0006045756.tif 000015
【図９】
0006045756.tif 000016